(57)【要約】      （修正有）【課題】樹脂切断刃の簡単つな交換手段の提供。【解決手段】ライン巻取スプールであって、中心回転軸線が設けられた中心本体を備え、中心本体が切断ラインが巻かれる環状領域が画定された外周側部領域を有し、スプールが中心本体を横切る少なくとも一つの通路を有し、切断ラインの挿入用に側部領域の対向する部分に二つの開口が設けられ、一つの通路が、開口から中心本体の内側に向かう二つの対向する第一セグメントと、第一セグメント間にあり、上向きの凹面を有する凹形状を持った湾曲連結セグメントとを有し、中心本体が凹面において、底部を有するキャビティを画定し、底部が開口の軸方向高さより低い軸方向高さにあり、湾曲連結セグメントが外部環境に対して、実質的に下方に向かって閉じられるように、その全長に沿って連続する下面を有し、切断ラインが中心本体から出ることなく、一方の開口から対向する開口に向かう単一の切断ライン通路を構成する。【選択図】図１Ｂ
2016106626.tif 000002
【特許請求の範囲】
【請求項１】
前記芝刈りヘッドに挿入した時に、芝刈りヘッドの前記回転軸線と同軸になる中心回転軸線及び、
植物切断ラインが巻かれる外周側部領域及び環状領域
を備え、切断ラインが巻かれる前記環状領域が前記外周側部領域上に画定され、前記外周側部領域が、対向する部分を有している
中心本体と、
前記中心本体を横切る少なくとも一つの通路と
を有し、
前記少なくとも一つの通路が、
切断ラインの挿入用に前記側部領域の前記対向する部分に設けられた二つの開口を有し、
前記少なくとも一つの通路が、前記開口から中心本体の内側に向かう二つの対向する第一セグメントと、前記第一セグメント間にあり、上向きの凹面を有する凹形状を持った湾曲連結セグメントとを有し、
前記中心本体が、前記凹面において、底部を有するキャビティを画定し、
前記底部が、前記開口の軸方向高さより低い軸方向高さにあり、
前記湾曲連結セグメントが、外部環境に対して、実質的に下方に向かって閉じられるように、実質的に、その全長に沿って連続する下面を有し、切断ラインが中心本体から出ることなく、前記一方の開口から対向する開口に向かう単一の切断ライン通路を構成する
ことを特徴とする回転軸線が設けられた芝刈りヘッド用ライン巻取スプール。
【請求項２】
前記中心本体が、スプールを構成している段階の間、固定装置によって、一体的に結合される少なくとも二つの要素から成り、
第一の下側要素上に、前記湾曲連結セグメントの連続下側面が画定され、
前記第二要素が、前記第一下側要素の少なくとも一部の上に配置され、前記湾曲連結セグメントの上面を画定する
ように構成したことを特徴とする請求項１に記載のスプール。
【請求項３】
前記キャビティの底部が、前記第二上側要素上に画定されている請求項２に記載のスプール。
【請求項４】
前記切断ラインが巻かれる前記環状領域の下限を画定する下側フランジを備えている請求項１に記載のスプール。
【請求項５】
前記下側フランジの上に配置され、前記切断ラインが巻かれる前記環状領域の上限を画定する別のフランジを備えている
請求項４に記載のスプール。
【請求項６】
前記下側フランジが、前記第一下側要素上に画定されている請求項２及び４に記載のスプール。
【請求項７】
前記別のフランジが、前記第二要素上に画定されている請求項５に記載のフランジ。
【請求項８】
前記二つのフランジ、即ち、下側フランジ及び上側フランジが、前記第一下側要素上に画定されている
請求項２，４及び５に記載のスプール。
【請求項９】
前記二つのフランジ、即ち、下側フランジ及び上側フランジが、前記第二要素上に画定されている
請求項２，４及び５に記載のスプール。
【請求項１０】
前記中心本体が、スプールを構成している間、前記第一及び第二要素に一体的に不可逆的な方法で結合される少なくとも一つの別の第三要素を備え、
前記第三要素上に前記上側フランジが配置される
請求項４に記載のスプール。
【請求項１１】
前記少なくとも一つの通路が、前記第一下側要素上に画定される前記湾曲連結セグメントの前記連続下側面と、その側面とを有する
請求項２に記載のスプール。
【請求項１２】
前記中心本体が下側中心ノブを備え、
前記ノブの幅は、前記中心本体の最大幅より小さく、
前記ノブは、前記湾曲連結セグメントの前記連続下側面画定された上側部分から下方に向けて突出し、
前記中心本体は、前記ノブとは異なる要素を備え、
前記ノブとは異なる要素によって、前記湾曲連結セグメントの前記下側連続面を、頂部で閉鎖することで、前記湾曲連結セグメントを画定する
請求項１に記載のスプール。
【請求項１３】
前記ノブが、前記第一下側部材と一部品で形成されている
請求項２及び１２に記載のスプール。
【請求項１４】
前記開口が前記下側フランジ上で画定されている
請求項４に記載のスプール。
【請求項１５】
前記開口が前記二つのフランジの間の軸方向中心位置において画定されている
請求項５に記載のスプール。
【請求項１６】
少なくとも二つの前記通路が、前記中心本体を横方向に横切り、前記側部領域の対向する位置に、それぞれ前記二つの開口が設けられ、
前記少なくとも二つの通路が、前記中心本体の中心領域において、相互に交差するか、又は、上下に重なる
請求項１に記載のスプール。
【請求項１７】
前記横方向通路が伸張方向にのびる軸線を備え、前記横方向通路の伸張方向軸線が、前記中心本体の中心軸線がある平面と、実質的に同じ平面にある
請求項１に記載のスプール。
【請求項１８】
前記二つの要素を固定するための前記固定装置が、
溶接、接着方法、連結即ちスナップ連結若しくは補完部材の機械的結合又はねじ部材を用いたねじ結合
のいずれか一つ又は複数から成る
請求項２に記載のスプール。
【請求項１９】
前記溶接が、超音波溶接、熱溶接又は化学溶接である
請求項１８に記載のスプール。
【請求項２０】
請求項１に記載のスプール用のハウジングを備えた芝刈りヘッドであって、
前記ハウジングが側壁を備え、
前記側壁が、前記スプールの少なくとも一つの通路に挿入するのに適した前記切断ラインを各々通過させるための少なくとも二つの対向する貫通孔を有する
芝刈りヘッド。
【発明の詳細な説明】
【技術分野】
【０００１】
本発明は、芝刈りヘッドの分野に関し、特に、切断ラインが、ヘッドの外側ハウジングに収容されたライン巻取スプールに巻かれる芝刈りヘッドの分野に関する。詳細には、本発明の対象物は、芝刈りヘッド用のスプール及び前記スプールが設けられた芝刈りヘッドである。
【背景技術】
【０００２】
ガーデニング用装置の分野では、アマチュアレベル及びプロフェッショナルレベルの両方で、良く知られているように、切断ラインとしてプラスチックラインを有する芝刈りヘッドは、普通に使用されている。これらのヘッドには、スプールが設けられており、そのスプールの周りには、切断ラインのストックが巻かれている。スプールは、外側に向けて切断ラインが通過するための孔が設けられたハウジングの中に収容されている。ハウジングの外側に向けて飛び出す切断ラインの両端は、その回転軸の周りで高速でヘッドを回転させて、切断部材として使用される。
【０００３】
使用中、切断ラインが摩耗したり破損したりした場合には、適当なバネ装置を用いて、切断ヘッドに設けられたスプールから新しいラインが解かれ、そして、新しいラインはヘッドから飛び出させられる。
【０００４】
使用中、ヘッドは、電気モータ又は内燃機関が設けられたブッシュカッターの駆動軸の一端に固定される。ヘッドは、機械結合インサートを用いて駆動軸に機械的に結合される。この機械結合インサートの長さは、使用するヘッドの種類及び駆動軸の種類に依存する。幾つかの場合、機械結合インサートは、スプールの軸方向キャビティ内でスプールと同軸にのび得る。
【０００５】
スプールの周りのラインを「交換」するために、言い換えれば、所定の長さのラインをスプールに巻いて、使用中に切断ラインが摩耗又は破損した時に徐々に解かれるラインストックを形成するために、通常、ヘッドを開いてスプールを取り出し、そこに一本又は複数本の切断ラインを固定する必要がある。その後、一本又は複数本の切断ラインは、ライン端部を自由にしたまま、スプールの中心本体に巻かれる。これらの端部は、内側から、ヘッドハウジングの壁に設けられたライン通過部を通過させられ、その後、スプール及びその周りに巻かれたラインを備えたハウジングは閉じられる。
【０００６】
これらの作業は、非常に複雑で時間がかかる。従って、ヘッドを開く必要なく、スプールにラインを巻いてヘッドの中で交換をすることを可能にするシステムが開発されてきた。例えば、公知の解決法によれば、ラインを交換するために、スプールハウジングの孔を、横方向通路の一対の開口と一直線上に並べ、ラインが第一通路を通ってスプールに入り、そのロアベースから出て、再び、第二通路の中に向けて同じロアベースに入り、スプール及びハウジングの反対側から出ることを可能にすることによって、ラインはスプールに横方向に挿入される。この種の解決方法は、例えば、欧州特許EP2099280（特許文献１）で開示されている。
【０００７】
これらの解決法は、構造上の観点から非常に複雑であり、その上、これらは、ラインの通過を可能にするために開いているスプールロアベースから埃が入り、そのため摩擦が生じ、必要な時にスプールからラインを「自動的」に交換する間のラインの滑りを妨害する。
【０００８】
従って、ヘッドハウジングを開くことなく、かつ、ハウジングからスプールを取り出す必要なく、さらに、埃がスプールに入って、その動作を制限することを防止でき、より簡単に、かつ、より効果的に切断ラインの交換をすることができる芝刈りヘッドの必要性がある。
【先行技術文献】
【特許文献】
【０００９】
【特許文献１】欧州特許EP2099280
【発明の概要】
【００１０】
この明細書で説明される本発明の幾つかの実施例は、芝刈りヘッドに挿入した時に芝刈りヘッドの回転軸線と同軸になる回転中心軸線を有する中心本体を備えた芝刈りヘッド用ライン巻取スプールを提供する。前記中心本体は外周側部領域を有し、その領域には切断ラインが巻かれる環状領域が画定されている。スプールは、中心本体を横方向に横切る少なくとも一つの通路を備え、かつ、側部領域の対向する部分には、切断ラインを挿入するための二つの開口が設けられている。前記通路は、前記開口から中心本体の内側に向かう二つの対向する第一セグメントと、前記二つの第一セグメント間にある湾曲連結セグメントとを有する。前記湾曲連結セグメントは、上向き凹面を有する凹形状を有する。中心本体は、前記凹面において、その底部の軸線方向高さが、開口の軸線方向高さより低いキャビティを画定する。このスプールは、湾曲連結セグメントが、その全長に沿って実質的に連続する下側面を有し、外部環境に対して、実質的に下向きに閉じられ、一つの開口から反対の開口に向かう、ラインが中心本体から出ることのない、ラインの単一の通路を形成することを特徴としている。
【００１１】
この明細書において、用語「高い」「低い」「上側」「下側」等は、典型的な使用状態にある回転軸線を垂直にした芝刈りヘッドに装着されたスプールを参照する。
【００１２】
用語「実質的に下向きに閉じられる」は、ラインが、通路に挿入される時に、通路を滑り通り、入口開口に対する反対の開口からのみ出ること、そして、通路が、ラインをコントロールするために、下方からアクセスできないことを意味する。従って、この通路には、例えば、スプールが静止している時に水を流出させることを可能にするために、又は他の目的のために、下向きの小さな孔又はスロットを設けることはできるが、前記孔を介して使用者が切断ラインに作用することは許さない。
【００１３】
本発明のさらなる特徴及び利点は、添付図面に非限定的実施例を用いて示した７つの限定するわけではないが好ましい実施の形態の説明からより明らかになる。
【図面の簡単な説明】
【００１４】
【図１Ａ】本発明によるスプールの第一実施例の平面図を示しており、この図面において、一本切断ラインが挿入され、横方向に突出する二つの切断セグメントを形成している。また、この図は、以下に説明する本発明によるスプールの第二、第四及び第五実施例の平面図でもある。
【図１Ｂ】本発明によるスプールの第一実施例の図１ＡにおけるＡ−Ａ線横断面図であり、スプールを覆うヘッドの横断面を示すものである。
【図１Ｃ】図１Ｂのスプールの分解不等角投影図である。
【図１Ｄ】図１Ａに示したＡ−Ａ線で切断した図１Ｃに対応する分解不等角投影図である。
【図２Ａ】本発明に係るスプールの第二実施例の分解不等角投影図である。
【図２Ｂ】図１Ａに示したＢ−Ｂ線で切断した図２Ａに対応する分解不等角投影図である。
【図２Ｃ】図１Ａに示したＡ−Ａ線で切断した図２Ａに対応する分解不等角投影図である。
【図２Ｄ】図２Ａのスプールの図１ＡのＡ−Ａ線に従った横断面図である。
【図３Ａ】本発明によるスプールの第三実施例の平面図であり、この図面において、一本の切断ラインが挿入され、横方向に突出する二つの切断セグメントを形成している。
【図３Ｂ】図３ＡのＡ−Ａ線に沿って切断した図３Ａのスプールの不等角投影図である。
【図３Ｃ】切断ラインを除いた図３Ａのスプールの分解不等角投影図である。
【図３Ｄ】図３ＡのＢ−Ｂ線に沿って切断した、切断ラインを除いた図３Ａのスプールの分解不等角投影図である。
【図４Ａ】本発明によるスプールの第四実施例の分解不等角投影図である。
【図４Ｂ】図１ＡのＡ−Ａ線に沿って切断した図４Ａのスプールの不等角投影図である。
【図４Ｃ】図４Ａのスプールの図１ＡのＡ−Ａ線に沿った横断面図である。
【図５Ａ】本発明によるスプールの第五実施例の分解不等角投影図である。
【図５Ｂ】図１ＡのＡ−Ａ線に沿って切断した図５Ａのスプールの不等角投影図である。
【図５Ｃ】図５Ａのスプールの図１ＡのＡ−Ａ線に沿った横断面図である。
【図６Ａ】本発明によるスプールの第六実施例の平面図であり、この図面において、一本の切断ラインが挿入されて、横方向に突出する二つの切断セグメントを形成している。この図は、以下に説明する本発明によるスプールの第七実施例の平面図でもある。
【図６Ｂ】図３ＡのＡ−Ａ線に沿って切断した図６Ａのスプールの不等角投影図である。
【図６Ｃ】切断ラインを除いた図３ＡのＡ−Ａ線に沿って切断した図６Ａのスプールの分解不等角投影図である。
【図７Ａ】本発明によるスプールの第七実施例の分解不等角投影図である。
【図７Ｂ】図６ＡのＡ−Ａ線に沿って切断した図７Ａのスプールの不等角投影図である。
【発明を実施するための形態】
【００１５】
始めに、図１に示した実施例に代わる、図２〜図７に示したスプールの六つの実施例は、図１Ｂのヘッドに収容され得る。従って、これらの実施例は、図１のヘッドに収容されるものとして、みなされるべきである。
【００１６】
図１Ａ〜図１Ｃを参照すると、本発明による芝刈りヘッド用ライン巻取スプールの第一実施例は、全体が符号１００で示されている。
【００１７】
スプール１００は、中心本体１０１を備え、この中心本体１０１には、（図１Ｂに点線で示した）芝刈りヘッドＴに挿入した時に、同ヘッドＴの回転軸と同軸となる中心回転軸Ｘが設けられている。
【００１８】
中心本体１０１は外周側部領域１０１Ａを有し、その領域１０１Ａに、切断ラインＦが巻かれる環状領域１０２が画定されている。この明細書の全ての実施例において、環状領域１０２に集められた切断ラインは図示されていないが、それはこの領域に包含され、そして、ラインの端部Ｆ１及びＦ２が、環状領域１０２に集められたラインの端部を表していることは理解されるべきである。他の実施例において、本発明によるスプールは、領域１０２に集められることなく、スプールに挿入された一つのラインセグメントだけと共に使用することもできることは明らかである。
【００１９】
これらの実施例では、二つのフランジ、即ち、下側フランジ１０２Ａ及び上側フランジ１０２Ｂが設けられており、下側フランジ１０２Ａは、切断ラインＦが巻かれる環状領域１０２の下限を画定し、上側フランジ１０２Ｂは、環状領域１０２の上限を画定している。上側フランジ１０２Ｂの上面には歯１０２Ｃが設けられており、この歯１０２Ｃは、ヘッドＴの内部でハウジングＴ１におけるスプールの軸位置に従って、ヘッドＴに関連する、例えば、公知のライン交換機構に接続するために用いられる。
【００２０】
スプール１００は、中心本体１０１を横方向に横切る通路１０３を有し、通路１０３には、外周側部領域１０１Ａの対向する部分に、切断ラインを挿入するための二つの開口１０４が設けられている。他の実施例に加えて、この実施例では、開口１０４は、下側フランジ１０２Ａに設けられている。
【００２１】
通路１０３は、開口１０４から中心本体１０１の内側に向かう二つの対向する第一セグメント１０５と、第一セグメント１０５間にある湾曲連結セグメント１０６とを有する。
【００２２】
湾曲連結セグメント１０６は、上向きの凹面を有する凹形状を備えている。実際には、中心本体１０１は、この凹面においてキャビティ１０７を画定しており、前記キャビティ１０７の底部１０７Ａの軸方向高さは、開口１０４の軸方向高さより低い。
【００２３】
上記した実施例では、横断通路１０３の伸長部分の中心軸線は、中心本体１０１の中心軸がある平面、実際には、径方向の平面と実質的に同じ平面にある。図１Ｂでは、この平面が断面に対応している。第一セグメント１０５は、好ましくは、前記軸Ｘに直交する。別の実施例では、通路は、平面ではなく湾曲面状で伸び得、又は、異なる平面で幾つかのセグメントに対して伸び得る。
【００２４】
本発明によれば、湾曲連結セグメント１０６は、その伸長部分全体に沿って実質的に連続する下面１０６Ａを有する。実際には、湾曲セグメント１０６は、外部環境に対して、実質的に、下方に向けて閉じられており、ラインＦは、開口１０４に挿入され、通路の中へ向けて押された時に、最初の第一セグメント１０５、全連結セグメント１０６及び最後の第一セグメント１０５に沿って進み、対抗する開口１０４から出るため、他の開口、孔又はスロットから出ることがなく、言い換えれば、一方の開口１０４から他方の開口１０４までの通路の間に中間操作部を設ける必要がなく、開口１０４間に単一の通路を実現することを可能にしている。
【００２５】
上述した構成は実質的に、全ての以下の実施例に共通である。
【００２６】
この実施例では、中間本体１０１は、二つの要素を有する。各々の要素は、一片の部材で構成され、生産要求及び／又は要素を製造する材料に従って、特別な固定装置を用いて、スプールを組み立てる段階の間に、一体的に連結される。
【００２７】
具体的には、第一下側要素１１０には、通路１０３の湾曲連結セグメント１０６の連続下側面１０６Aが画定されており、上記第一下側要素１１０の上方に配置される第二上側要素１１１は、前記湾曲連結セグメント１０６の上面を画定している。より詳細には、この実施例では、通路１０３の全ての底面及び全ての側面は、第一下側要素１１０に設けられ、通路１０３の全ての上面１１３は、第二上側要素によって構成されており、特に、第二上側要素１１１に画定されたキャビティ１０７の底部によって構成されている。この実施例では、第二上側要素１１１は、下側フランジ１０２Aの小さい部分１０２A’を有し、この部分１０２A’は、通路１０３の第一セグメント１０５の天井として機能する。
【００２８】
この実施例では、第一下側要素１１０は、（例えば、公知の機能を有する）中心下側ノブ１１４を備え、それは、下側フランジ１０２Aから下方に向けて伸びる突起であり、軸線Xと同軸であり、かつ、その幅は、中心本体１０１の最大幅より小さい。実際上、この実施例では、このノブ１１４の上側部分に、通路１０３の湾曲連結セグメント１０６の下側連続面１０６Aが画定されている。この実施例では、ノブ１１４は、第一下側要素１１０と一体成形されている。
【００２９】
このノブの機能は、例えば、ヘッドTのハウジングT1に対してスプールを軸方向に動かするためのアバットメント表面として機能し、ライン交換機構及び／又はヘッドに結合されるブッシュカッターのドライブシャフトに結合するステップ又はこれらから外すステップを可能にする。また、ノブ１１４は、ラインをスプールに挿入することを可能にするために、スプール１００の開口１０４を、ヘッドTのハウジングの側孔T２と一直線上に整列させるための使用者の手のためのグリップ領域として機能する。
【００３０】
二つの要素１１０及び１１１を固定する固定装置は、溶接、一つ又は複数の接着部材（接着剤、糊等）、連結具又はスナップ連結具若しくは補完部材の機械的結合（例えば、スナップフィット連結具、弾性のある柔軟な部材を用いた摩擦連結、拘束歯等）、又はネジ部材による結合の一つ又は複数から成り得る。溶接は、好ましくは、超音波溶接、熱溶接又は化学溶接である。
【００３１】
この実施例では、第一及び第二要素１１０及び１１１はプラスチックで形成され、好ましくは、超音波溶接を行う固定装置を用いて結合されるが、他の形式の固定装置を使用してもよい。
【００３２】
図２A〜２Dは、スプールの第二実施例を示しており、この第二実施例のスプールは、切断ライン用の二つの通路を備えている点で第一実施例とは異なる。以下の説明において、先の実施例において使用した符号と同じ符号を、実質的に同じ又は同等の部材に対して使用し、新しい又は変更された部材に対して新しい番号を使用する。
【００３３】
この実施例では、スプールは、符号２００で示されており、中心本体２０１を有する。中心本体２０１は、二つの要素、即ち、第一下側要素２１０及び第二上側要素１１１から成る。実質的に、このスプールは、好ましくは、相互に直交するようにされたラインF用の二つの通路１０３及び２０３の下側部分が、第一下側要素２１０に設けられている点で、先の実施例のスプールとは異なる。これらの下側部分は、各通路の下側面（及び、湾曲セグメントの下側面１０６A及び２０６A）と、各側面１１２及び２１２との両方を提供する。二つの通路１０３及び２０３は、軸Xの領域で、相互に交差し／重なり合う。従って、通路の二対の対向する開口、即ち、開口１０４及び２０４の各々が設けられる。この実施例において、二重の開口を有する二つの通路の作用は、ラインを交換する間にラインの挿入に対して二重の選択を持てることにあり、従って、このステップが容易になる。ヘッドTから伸びる切断端部は二つである。
【００３４】
図３A〜図３Dには、スプールの第三実施例が示されており、このスプールは、二つの切断ラインを同時に使用するのに適している点、即ち、同時に四つの切断端部を有している点で第二実施例とは異なる。先の実施例との相違点は、軸Xの領域において、二つの切断ラインが交差／重複する構造にある。以下の説明では、第一実施例で使用した符号と同じ符号が、実質的に等しい又は同等の部材に対して使用され、新しい部材又は変更された部材に対して新しい符号が使用される。
【００３５】
この実施例では、スプールは符号３００で示され、このスプール３００は、二つの要素、即ち、第一下側要素３１０及び第二上側要素３１１から成る中心本体３０１を備えている。実際には、このスプールは、好ましくは相互に直交するようにされた二本のラインF及び３Fのための二つの通路１０３及び３０３の下側部分が、第一下側要素３１０に設けられている点で先の実施例のスプールとは異なる。これらの下側部分は、湾曲セグメント１０６及び３０６の下側面１０６A及び３０６A並びに第一セグメント１０５及び３０５の下側部分と、各側面１１２及び３１２の両方を提供する。これらの通路の二対の対向する開口、即ち、開口１０４及び３０４の各々が設けられる。二つの通路１０３及び３０３は、軸線Xの領域で、相互に交差することなく相互に重なる。より詳細には、この実施例では、第二上側要素３１１が、キャビティ３０７の底部３０７Aに対応する位置に、第一通路１０３の湾曲連結セグメント１０６の天井を画定する下側部分３０７Bを有する。この下側部分３０７Bの側部に二つの対向する孔３２０が設けられており、これらの孔３２０は、キャビティ３０７の底部を通過し、通路３０３の下側部分の対向する部分を連通させるのに適している。実際には、湾曲連結セグメント３０６の一部がキャビティ３０７の底部で画定され、キャビティ３０７の底部の下側部分３０７Bによって別の通路１０３の湾曲連結セグメント１０６と分離され、かつ、重ねられている。
【００３６】
図４A〜４Cは、本発明によるスプール４００の第四実施例を示しており、このスプール４００は、幾つかの点で第一実施例と相違している。以下の説明では、先の実施例で用いられていた符号と同じ符号が、実質的に同一又は同等の部材に対して使用され、新しい又は変更された部材に対して新しい符号が用いられる。
【００３７】
詳細には、上側フランジ４０２Bが第一下側要素４１０と一体に形成され、第二要素４１１が、湾曲連結セグメント４０６の天井４１３を画定するための機能のみを有している点が相違している。より詳細には、この実施例では第一実施例のスプール１００のキャビティ１０７の底部１０７Aが分離されている点を除いて、中心本体４０１の構造は、第一実施例の中心本体１０１の構造と実質的に、かつ、機能的に同じである。実際には、キャビティ４０７及びその底部４０７Aは、第二要素４１１に相当し、第二要素４１１は、スプールが構成されている間は、通路４０３と重なる第一下側要素４１０の空間４３０の内側で、例えば、超音波溶接（しかし、他の固定手段、例えば、空間４３０における第二要素４１１のスナップフィット連結を用いることもできる）によって第一下側要素４１０に固定される。通路４０３の第一セグメント４０５は、完全に、第一下側要素４１０に設けられる。
【００３８】
図５A〜５Cは、本発明によるスプール５００の第五実施例を示しており、このスプール５００は幾つかの点で第一実施例と相違している。以下の説明では、先の実施例で使用した符号と同じ符号が、実質的に同一又は同等の部材に対して使用され、新しい又は変更された部材に新しい符号が用いられる。
【００３９】
第一実施例のスプール１００と異なり、この実施例では、第一下側要素５１０に下側フランジ５０２Aがない。従って、第二上側要素５１１が両方のフランジを備えている。
【００４０】
より詳細には、この実施例では、第一下側要素５１０が、通路５０３の湾曲連結セグメント５０６の連続面５０６Aのみを画定する上側端部を備え、第一セグメント５０５は完全に第二上側要素５１１で画定されている。キャビティ５０７の底部５０７A及び湾曲連結セグメント５０６の対向する天井５１３は、両方とも、第二上側要素で画定されている。
【００４１】
より詳細には、この実施例では、第一下側要素５１０が、実質的に、ノブ５１４によって構成されている。より詳細には、ノブ５１４、即ち、第一下側要素５１０は、第二上側要素５１１から軸線Xと同軸上で下側に向けて突出するスリーブ５４０の空間５４０Aの内部に、挿入され、例えば、超音波溶接によって溶接され、前記空間５４０Aで、このスリーブの天井、即ち、キャビティ５０７の底部５０７Aに対抗する面が、湾曲連結セグメント５０６の天井５１３となる。スリーブ５４０の壁５４１は、好ましくは、凸型であるノブ５１４の基部５１４Aの下端で終端する。また、超音波溶接に代えて、別の固定手段、例えば、スリーブ５４０の内側空間ではスナップフィット連結が使用され得る。
【００４２】
図６A〜６C及び図７A〜７Bは、それ自体は公知の「引き抜き」タイプの本発明によるスプールの二つの実施例を示しており、ここでは、中心本体は、一体的に、好ましくは、分離てきない形状で一緒に固定される三つの要素によって構成されている。
【００４３】
詳細には、図６A〜６Cは、本発明によるスプール６００の第六実施例を示しており、このスプール６００は、幾つかの点で第一実施例と異なる。以下の説明において、先の実施例で使用された符号と同じ符号が、実質的に同一又は同等の部材に対して使用され、新しい又は変更された部材に対して新しい符号が使用される。
【００４４】
中心本体６０１は、第一実施例に示されたそれと類似した第一下側要素６１０を備え、そして従って、前記第一下側要素６１０は、（先の実施例に比べて突出が小さい）ノブ６１４と、下側フランジ６０２Aを備えている。湾曲連結セグメント６０６の下側連続面６０６Aは、ノブ６１４の上端部で限定され、通路６０３の第一セグメント６０５の下側表面及び側面は、下側フランジに設けられている。
【００４５】
この実施例では、第四実施例と同様に、湾曲連結セグメント６０６の天井６１３を画定するだけの機能を持つ第二要素６１１が設けられている。より詳細には、この実施例では、スプール１００のキャビティ１０７の底部１０７Aが分離していることを除いて、中心本体６０１の構造は、第一実施例の中心本体１０１の構造と機能的に同一である。実際には、このキャビティ６０７及びその底部６０７Aは、第二要素６１１に相当し、スプールが構成されている間は、通路６０３と重なる第一下側要素６１０の空間６３０の内部で、第一下側要素６１０に、例えば、超音波溶接（しかし、他の固定手段、例えば、空間６３０における第二要素６１１のスナップフィット連結を用いることもできる）を用いて固定される。
【００４６】
第三要素６５０には、上側フランジ６０２Bが設けられており、上側フランジ６０２Bには歯６０２が設けられ、かつ、フランジ６０２Bの中心には、ブッシュカッターの駆動軸にヘッドを固定するためのブッシュ６５１が設けられている。
【００４７】
この第三要素６５０は、その底部の側部に、通路６０３の第一セグメント６０５の天井として機能する下側フランジ６０２Aの小径部分６０２A’を有する。
【００４８】
三つの要素６１０，６１１及び６５０は、例えば、超音波溶接（他の固定方法でもよい）によって一緒に固定される。
【００４９】
図７A及び７Bは、本発明によるスプール７００の第七実施例を示しており、このスプール７００は、幾つかの点で第一実施例とは異なる。以下の説明において、先の実施例で使用した符号と同一の符号が、実質的に同一又は同等の部材に対して使用され、新しい又は変更された部材に新しいに符号が使用される。
【００５０】
詳細には、この実施例の中心本体７０１は、第一下側要素７１０に下側ノブがない点、そして、この第一下側要素７１０の下面が下側フランジ７０２によって構成されている点で、先の実施例の中心本体６０１と相違している。同様に、先の実施例に示したように、中心本体７０１の上側面は、第三要素７５０の上側フランジ７０２Bによって画定されている。
【００５１】
通路７０３の開口７０４及び各第一セグメント７０５は、前記二つのフランジ間の軸方向中間位置にある中間フランジで画定されている。中間フランジは、第一下側要素７１０及び第三上側要素７５０にそれぞれ設けられた二つのリング７６０A及び７６０Bによって形成されている。この場合、第二要素６１１の機能は、キャビティ６０７の湾曲連結セグメント６０６の天井６１３を画定するだけのものである。
【００５２】
三つの要素７１０、７１１及び７５０は、例えば、超音波溶接（他の固定方法を用いることもできる）によって一緒に固定される。
【００５３】
上述した実施例は、単に、本発明の実施可能な非限定的な実施例を示すだけであり、発明の基礎となる概念の範囲から外れることなく、形態及び配置を変更し得ることは理解される。実施例の一つ又は複数の特徴は、発明の保護範囲から外れることなく、他の実施例の特徴と組み合わせられ得る。特許請求の範囲の符号は、明細書の説明及び添付図面を参照して特許請求の範囲を読み易くするためだけに用いられるものであり、本発明の保護範囲を何等制限するものではない。
【符号の説明】
【００５４】
T  芝刈りヘッド
T2  側高
X  中心回転軸
F  切断ライン
F1  ラインの端部
F2  ラインの端部（図面にない！）
１００  （芝刈りヘッド用ライン巻取）スプール
１０１  中心本体
１０１A  外周側部領域
１０２  環状領域
１０２A  下側フランジ
１０２B  上側フランジ
１０３  通路
１０４  開口
１０５  第一セグメント
１０６  湾曲セグメント
１０７  キャビティ
１１０  第一下側要素
１１１  第二上側要素
２００  スプール
２０１  中心本体
２１０  第一下側要素
３００  スプール
３０１  中心本体
３０６  湾曲連結セグメント（図面なし）
３０７  キャビティ
３０７A  底部
３０７B  下側部分
３１０  第一下側要素
３１１  第二上側要素
４０２B  上側フランジ
４０３  通路
４０５  第一セグメント
４０６  湾曲連結セグメント
４１０  第一下側要素
４１１  第二要素
４１３  天井
４３０  空間（図面にない）
５０２A  下側フランジ
５０３  通路
５０５  第一セグメント
５０６  湾曲連結セグメント
５０６A  連続面
５０７  キャビティ
５０７A  底部
５１０  第一下側要素
５１１  第二上側要素
５１３  天井
５１４  ノブ
５４０  スリーブ
５４０A  空間
６０１  中心本体
６０２  歯
６０２A  下側フランジ
６０２A’小径部分
６０３  通路
６０５  第一セグメント
６０６  湾曲連結セグメント
６０７  キャビティ
６０７A  底部
６１０  第一下側部材
６１１  第二要素
６１３  天井
６１４  ノブ
６３０  空間
６５０  第三要素
６５１  ブッシュ
７００  スプール
７０１  中心本体
７０２Ｂ  上側フランジ
７０２  下側フランジ
７０３  通路
７０４  開口
７０５  第一セグメント
７１０  第一下側要素
７１１  第二要素
７５０  第三要素
７６０Ａ  リング
７６０Ｂ  リング
【図１Ａ】
2016106626.tif 000003
【図１Ｂ】
2016106626.tif 000004
【図１Ｃ】
2016106626.tif 000005
【図１Ｄ】
2016106626.tif 000006
【図２Ａ】
2016106626.tif 000007
【図２Ｂ】
2016106626.tif 000008
【図２Ｃ】
2016106626.tif 000009
【図２Ｄ】
2016106626.tif 000010
【図３Ａ】
2016106626.tif 000011
【図３Ｂ】
2016106626.tif 000012
【図３Ｃ】
2016106626.tif 000013
【図３Ｄ】
2016106626.tif 000014
【図４Ａ】
2016106626.tif 000015
【図４Ｂ】
2016106626.tif 000016
【図４Ｃ】
2016106626.tif 000017
【図５Ａ】
2016106626.tif 000018
【図５Ｂ】
2016106626.tif 000019
【図５Ｃ】
2016106626.tif 000020
【図６Ａ】
2016106626.tif 000021
【図６Ｂ】
2016106626.tif 000022
【図６Ｃ】
2016106626.tif 000023
【図７Ａ】
2016106626.tif 000024
【図７Ｂ】
2016106626.tif 000025
【外国語明細書】
2016106626.tif 000026
2016106626.tif 000027
2016106626.tif 000028
2016106626.tif 000029
2016106626.tif 000030
2016106626.tif 000031
2016106626.tif 000032
2016106626.tif 000033
2016106626.tif 000034
2016106626.tif 000035
2016106626.tif 000036
2016106626.tif 000037
2016106626.tif 000038
2016106626.tif 000039
2016106626.tif 000040
2016106626.tif 000041
2016106626.tif 000042
2016106626.tif 000043
2016106626.tif 000044
2016106626.tif 000045
2016106626.tif 000046
2016106626.tif 000047
2016106626.tif 000048
2016106626.tif 000049
2016106626.tif 000050
2016106626.tif 000051
2016106626.tif 000052
2016106626.tif 000053
2016106626.tif 000054